(57)【特許請求の範囲】
【請求項１】
フレームの内部に光反射シートを設け、光反射シートの相対向する端縁部をフレームの相対向する縁枠部に重ねると共に、光反射シートの上方に冷陰極管と光学シートと液晶パネルを配置して、その上からベゼルで液晶パネルの周縁部を押さえた液晶モジュールにおいて、
上記光反射シートの相対向する端縁部の少なくとも一方にタブ片を形成すると共に、これに対応して上記フレームの少なくとも一方の縁枠部にタブ片挿入用の開口部を形成し、上記タブ片を上記開口部から上記フレームの縁枠部の下側へ挿入して係合させたことを特徴とする液晶モジュール。
【請求項２】
上記タブ片の幅寸法を上記開口部の幅寸法よりも僅かに小さくしたことを特徴とする請求項１に記載の液晶モジュール。
【請求項３】
上記タブ片が、上記光反射シートの相対向する端縁部の少なくとも一方に、端縁部の長さ方向に延びる長い切込部とその両端から直角に外側へ曲がる短い切込部とからなる偏平なＵ形切込部を設けることによって該Ｕ形切込部の内側に形成された広幅のタブ片であり、上記タブ片挿入用の開口部が、広幅のタブ片に対応して上記フレームの少なくとも一方の縁枠部にその長さ方向に形成されたスリット状の開口部であることを特徴とする請求項１又は請求項２に記載の液晶モジュール。
【請求項４】
上記タブ片挿入用の開口部が、上記フレームの縁枠部における上板と外側板とのコーナー部を切り欠いて形成したものであることを特徴とする請求項１ないし請求項３のいずれかに記載の液晶モジュール。
【請求項５】
上記Ｕ形切込部の短い切込部の先端にアールを設け、上記開口部の両端から、先端にアールを設けた切欠凹部を上記フレームの内側方向に形成したことを特徴とする請求項２ないし請求項４のいずれかに記載の液晶モジュール。
【請求項６】
上記光反射シートのもう一組の相対向する端縁部の形状を非対称形としたことを特徴とする請求項１ないし請求項５のいずれかに記載の液晶モジュール。
【発明の詳細な説明】
【技術分野】
【０００１】
本発明は、テレビ、パソコンその他の電子機器に組み込まれる液晶モジュールに関し、特に、組立作業時に光反射シートを正確に位置決めして外れないように素早くフレームに仮固定することができる液晶モジュールに関する。
【背景技術】
【０００２】
従来の直下ライト方式の液晶モジュールは、フレームの内部に光反射シートを設け、光反射シートの上方に冷陰極管と光学シートと液晶パネルを配置して、その上からベゼルで液晶パネルの周縁部を押さえた概略構造となっている。このような液晶モジュールにおいては、フレームの縁枠部に突起を形成し、光反射シートの端縁部に形成された孔に上記突起を嵌め込むことによって、光反射シートを位置決めしている。
【０００３】
一方、光学シートの一方の短辺から突設した第１爪部をフレームに固定すると共に、他方の短辺から突設した第２爪部をフレームの凹所に嵌め込み、この凹所の底面に形成された位置決め突起を第２爪部に形成された長孔に挿通して、フレームと第２爪部との相対変位を許容するようにした液晶モジュールが知られている（特許文献１）。
【０００４】
また、導光板、光源、光反射体、光拡散板等を収容するフレームの側面に切り欠きを設けると共に、光拡散板やプリズムシートに凸部を設け、この凸部を上記切り欠きに係止させるだけで位置合わせができるようにした液晶表示装置の照明装置も知られている（特許文献２）。
【０００５】
更に、筐体の側壁に、光学シートの位置決めおよび保持するための嵌合穴を形成すると共に、光学シートのうち少なくとも筐体と隣接するものに嵌合凸部を設け、嵌合凸部を筐体の嵌合穴に内側から嵌合して光学シートの位置決めと保持を行うようにしたバックライト装置も知られている（特許文献３）。
【特許文献１】特開２００１−９１９４７号公報
【特許文献２】特開２０００−３４００１７号公報
【特許文献３】特開２０００−１９５１２号公報
【発明の開示】
【発明が解決しようとする課題】
【０００６】
しかしながら、前述した従来の液晶モジュールでは、フレームの縁枠部に形成する突起の高さに限界があり、突起をあまり高く形成できないため、突起が光反射シートの孔から外れて光反射シートが位置ずれし易いという問題があった。そのため、突起を孔に嵌め込んで位置決めするときに、両面テープなどを使用して光反射シートの端縁部をフレームの縁枠部に貼着し、突起が孔から外れないようにしているが、このような貼着作業は面倒で余分なテープ代が必要となるため、組立作業性の低下とコストアップを招くという問題があった。
【０００７】
同様に、前記特許文献１の液晶モジュールも、光学シートの第２爪部がフレームの凹所から外れ易い構造であり、また、前記特許文献２の照明装置も、光拡散板等の凸部がフレームの切り欠きから外れ易い構造であるので、これらの位置決め手段を採用しても、上記の問題を解決することは難しい。
【０００８】
これに対し、前記特許文献３のバックライト装置は、筐体の側壁の嵌合穴に光学シートの嵌合凸部を内側から嵌合することによって光学シートの位置決めと保持を行うようにしたものであるから、前記特許文献１，２のものに比べると、光学シートが外れにくいという利点を備えている。けれども、このような光学シートの位置決め及び保持手段は、光学シートが湾曲したり屈曲すると嵌合凸部が嵌合穴から簡単に外れるものであるから、凹状に屈曲した光反射シートの位置決め及び保持手段しては不適当である。
【０００９】
本発明は上記事情の下になされたもので、その解決しようとする課題は、組立作業時に光反射シートを正確に位置決めして外れないように素早くフレームに仮固定することができ、組立作業性の向上とコストダウンを図ることができる液晶モジュールを提供することにある。
【課題を解決するための手段】
【００１０】
上記課題を解決するため、本発明に係る液晶モジュールは、フレームの内部に光反射シートを設け、光反射シートの相対向する端縁部をフレームの相対向する縁枠部に重ねると共に、光反射シートの上方に冷陰極管と光学シートと液晶パネルを配置して、その上からベゼルで液晶パネルの周縁部を押さえた液晶モジュールにおいて、上記光反射シートの相対向する端縁部の少なくとも一方にタブ片を形成すると共に、これに対応して上記フレームの少なくとも一方の縁枠部にタブ片挿入用の開口部を形成し、上記タブ片を上記開口部から上記フレームの縁枠部の下側へ挿入して係合させたことを特徴とするものである。
【００１１】
本発明の液晶モジュールにおいては、上記タブ片の幅寸法を開口部の幅寸法よりも僅かに小さくすることが望ましい。そして、上記タブ片は、光反射シートの相対向する端縁部の少なくとも一方に、端縁部の長さ方向に延びる長い切込部とその両端から直角に外側へ曲がる短い切込部とからなる偏平なＵ形切込部を設けることによって該Ｕ形切込部の内側に形成された広幅のタブ片であり、上記タブ片挿入用の開口部は、広幅のタブ片に対応してフレームの少なくとも一方の縁枠部にその長さ方向に形成されたスリット状の開口部であることが望ましい。特に、タブ片挿入用の開口部は、上記フレームの縁枠部における上板と外側板とのコーナー部を切り欠いて形成したものであることが望ましい。
【００１２】
また、本発明の液晶モジュールにおいては、上記Ｕ形切込部の短い切込部の先端にアールを設け、上記開口部の両端から、先端にアールを設けた切欠凹部を上記フレームの内側方向に形成することが望ましく、更に、上記光反射シートのもう一組の相対向する端縁部の形状を非対称形とすることが望ましい。
【発明の効果】
【００１３】
本発明の液晶モジュールのように、光反射シートの端縁部に形成したタブ片を、これに対応してフレームの縁枠部に形成したタブ片挿入用の開口部から縁枠部の下側へ挿入して係合させると、光反射シートは、開口部と係合するタブ片によって、端縁部の長さ方向の動きが規制されて位置決めされる。その場合、タブ片の幅寸法を開口部の幅寸法よりも僅かに小さく設定してあると、タブ片の開口部への挿入が容易であるにも拘わらず、挿入した状態ではタブ片の両端と開口部の両端との間に隙間が殆ど生じないため、光反射シートの取付けガタが実質的になくなり、位置決めの精度が向上する。しかも、この液晶モジュールのように、タブ片を開口部から縁枠部の下側へ挿入して係合させてあると、光反射シートを浮上させる外力が作用した場合でも、タブ片が縁枠部に下方から引っ掛かって光反射シートの浮上が規制され、開口部からタブ片が抜け出さないため、光反射シートを本固定するまで、光反射シートを精度良く位置決めして仮固定状態を維持することができる。従って、従来の液晶モジュールのように、両面テープなどで光反射シートの端縁部をフレームの縁枠部に貼着する面倒な作業が不要となるので、組立作業性が向上し、コストダウンも可能となる。
【００１４】
また、タブ片が、光反射シートの端縁部の長さ方向に延びる長い切込部とその両端から直角に外側へ曲がる短い切込部とからなる偏平なＵ形切込部を上記端縁部に設けることによって該Ｕ形切込部の内側に形成された広幅のタブ片であり、上記タブ片挿入用の開口部が、広幅のタブ片に対応してフレームの縁枠部にその長さ方向に形成されたスリット状の開口部であると、広幅のタブ片がスリット状の開口部から縁枠部の下面沿いにフレームの内側方向に挿入されて係合することになるため、光反射シートの端縁部に内側方向の力が作用した場合でも、タブ片が開口部に引っ掛かって光反射シートの端縁部の内側方向への移動が規制され、内側方向への位置ずれが防止される。そして、タブ片が広幅のタブ片であると、狭幅のタブ片に比べて、光反射シートの端縁部の浮上防止作用も向上する。従って、光反射シートの位置ずれ防止効果や仮固定性が顕著になる。特に、タブ片挿入用の開口部が、フレームの縁枠部における上板と外側板とのコーナー部を切り欠いて形成されたものであると、この開口部からタブ片を上板の下面に沿ってフレームの内側方向へ挿入する作業がし易くなるため、光反射シートを正確に位置決めして素早く仮固定できるようになる。
【００１５】
また、上記Ｕ形切込部の短い切込部の先端にアールを設け、上記タブ片挿入用の開口部の両端から、先端にアールを設けた切欠凹部をフレームの内側方向に形成したものは、タブ片を開口部に挿入したときに、Ｕ形切込部の短い切込部の先端、つまり、タブ片の付け根部分に亀裂が入るのを防止できる利点がある。そして、光反射シートのもう一組の相対向する端縁部の形状を非対称形としたものは、相対向する双方の端縁部の形状が入れ代わると光反射シートの表と裏が逆であることがすぐに分かるので、光反射シートを表と裏が逆になったままフレーム内に取付けるのを防止することができる。
【発明を実施するための最良の形態】
【００１６】
以下、図面を参照して本発明の具体的な実施形態を詳述する。
【００１７】
図１は本発明の一実施形態に係る液晶モジュールの分解斜視図、図２は同液晶モジュールの横断面図、図３は同液晶モジュールの光反射シートとフレームの部分斜視図、図４及び図５は同液晶モジュールの光反射シートのタブ片をフレームのタブ片挿入用の開口部に挿入した部分の平面図及び断面図、図６の（Ａ）は同液晶モジュールのランプフレームを斜め前方から見た斜視図、図６の（Ｂ）は同ランプフレームを斜め後方から見た斜視図、図７は同液晶モジュールのランプフレームをフレームに取付けた部分の断面図、図８は同液晶モジュールのフレームとランプフレームとシート押さえ枠とベゼルの組立てについての概略説明図である。
【００１８】
この液晶モジュールの全体構成を概説すると、図１，図２に示すように、フレーム１の内部に光反射シート２が設けられ、その上に複数本の冷陰極管３が配設されて、左右のランプフレーム４，４が取付けられている。そして、光学シートとして光拡散シート５とプリズムシート６が重ねられ、Ｌ形の２つのシート押さえ枠７，７によってシート周縁部が押さえられている。更に、このシート押さえ枠７，７の上には液晶パネル（液晶セル）８が載置され、その上から長短４本のベゼル９ａ，９ｂで液晶パネル８の周縁部が固定されて、液晶モジュールが組み立てられている。
【００１９】
上記のフレーム１は、図１に示すように、板金で製作された偏平な長方形の箱形フレームであり、その長辺に沿って相対向する縁枠部１ａ，１ｂが形成されている。この縁枠部１ａ，１ｂは、図２に示すように、フレーム１の長辺の側板１ｃ，１ｄを外側へ逆Ｕ字状に折り曲げて形成されたものであり、一方の縁枠部１ａの長さ方向中央部分には、本発明の特徴とするタブ片挿入用の開口部１０が形成されている。この開口部１０については、後で詳しく説明する。
【００２０】
図１に示すように、フレーム１の左右の短辺の側板１ｅ，１ｅには、ランプフレーム４，４を固定するための係合孔１ｆが４つずつ穿孔され、底板１ｇの左右両端近傍箇所にも、ランプフレーム４，４を固定するための係合孔１ｈが２つずつ穿孔されている。そして、底板１ｇの右側端部には、冷陰極管３のソケット３ａを取付ける取付穴１ｉが、ソケットと同数（４つ）形成されている。
【００２１】
光反射シート２は、図１，図２に示すように、折り目に沿って逆台形状に折り曲げられたシートであって、相対向する長辺沿いの端縁部２ａ，２ｂがフレーム１の相対向する縁枠部１ａ，１ｂに載置されている。この光反射シート２は、白色顔料を配合した光反射性の合成樹脂シートからなるもので、その表面（上面）には紫外線による劣化を防ぐ紫外線劣化防止層が形成されており、この紫外線劣化防止層を上側にしてフレーム１に内装されるようになっている。
【００２２】
光反射シート２のもう一組の相対向する端縁部の形状、つまり左右の短辺沿いの端縁部２ｃ，２ｄの形状は非対称形とされている。即ち、図１に示すように、これらの端縁部２ｃ，２ｄには、ランプフレーム４の後述する係止脚片４ｄを通す凹部２ｅが２つずつ形成されているが、左側の端縁部２ｃは右側の端縁部２ｄよりも凹部２ｅ，２ｅの相互間隔が拡張されて、左右非対称形となっている。従って、左右の端縁部２ｃ，２ｄの形状が入れ代わると、光反射シート２の表と裏が逆であることがすぐに分かるので、光反射シート２の表面の紫外線劣化防止層を間違って裏側にしたままフレーム１内に取付けるのを確実に防止することができる。
【００２３】
図１に示すように、光反射シート２の一方の長辺沿いの端縁部２ａには、本発明の特徴とするタブ片２０が、該端縁部２ａの長さ方向中央部分に位置して形成されている。このタブ片２０は、図３に示すように、端縁部２ａの長さ方向に延びる長い切込部２１ａとその両端から直角に外側へ曲がる短い切込部２１ｂ，２１ｂとからなる偏平なＵ形切込部２１を端縁部２ａに設けることによって該Ｕ形切込部２１の内側に形成された広幅のタブ片であり、短い切込部２１ｂ，２１ｂの先端には亀裂防止用のアール２１ｃ，２１ｃが形成されている。
【００２４】
一方、フレーム１の一方の長辺沿いの縁枠部１ａには、図１，図３に示すように、上記タブ片２０を挿入するスリット状の開口部１０が縁枠部１ａの長さ方向に形成されている。このタブ片挿入用のスリット状開口部１０は、タブ片２０の挿入を容易かつ素早く行うことができるように、図３，図５に示す如く、フレーム１の縁枠部１ａにおける上板１ｊと外側板１ｋとのコーナー部１ｍをスリット状に切り欠いて形成されており、この開口部１０の両端から、先端にアール１０ａを設けた切欠凹部１０ｂ，１０ｂがフレーム１の内側方向に形成されている。
【００２５】
タブ片２０の幅寸法Ｗ２は、スリット状の開口部１０の幅寸法Ｗ１よりも僅かに小さく設定されている。そのため、タブ片２０の開口部１０への挿入は容易であるが、挿入した状態ではタブ片２０の両端と開口部１０の両端との間に隙間が殆ど生じないため、光反射シート２の取付けガタが実質的になくなり、精度良く位置決めできるようになっている。
【００２６】
この光反射シート２の仮固定は、相対向する長辺沿いの端縁部２ａ，２ｂをフレーム１の相対向する縁枠部１ａ，１ｂに重ね、図４，図５に示すように、光反射シート２の端縁部２ａのタブ片２０を、フレーム１の縁枠部１ａのスリット状開口部１０から縁枠部１ａの上板１ｊの下側へ挿入、係合させることによって行われている。このように光反射シート２をフレーム１に仮固定すると、開口部１０と係合するタブ片２０によって、光反射シート２の左右方向の動き（端縁部２ａの長さ方向の動き）が規制されて、光反射シート２が位置決めされる。特に、この実施形態の液晶モジュールでは、上記のようにタブ片２０の幅寸法Ｗ２を開口部１０の幅寸法Ｗ１よりも僅かに小さく設定して、光反射シート２の取付けガタが実質的に生じないようにしているため、位置決め精度が良好である。
【００２７】
また、光反射シート２を浮上させる外力が作用した場合でも、図５に示すように、タブ片２０が縁枠部１ａの上板１ｊに下方から引っ掛かって光反射シート２の浮上が規制され、開口部１０からタブ片２０が抜け出さないため、光反射シート２を本固定するまで、光反射シート２を精度良く位置決めして仮固定状態を維持することができる。従って、従来の液晶モジュールのように、両面テープを用いて光反射シートの端縁部をフレームの縁枠部に貼着する面倒な作業が不要となるので、組立作業性が向上し、コストダウンを図ることができる。特に、この実施形態の液晶モジュールのように、タブ片２０が広幅のタブ片であると、狭幅のタブ片に比べて、光反射シート２の浮上防止作用が向上するため、光反射シート２の仮固定性が顕著に高められる。
【００２８】
そして、タブ片２０が、図５に示すように、開口部１０から縁枠部１ａの上板１ｊの下面沿いにフレーム１の内側方向に挿入されて係合していると、光反射シート２の端縁部１ａに内側方向の力が作用した場合でも、タブ片２０が開口部１０の口縁に引っ掛かって内側方向への移動が規制されるため、光反射シート２の端縁部１ａが内側方向へ位置ずれすることもなくなる。従って、端縁部１ａの内側方向への位置ずれにより光反射シート２の傾斜面の角度が変化して光反射に悪影響を及ぼす心配も解消される。
【００２９】
また、タブ片挿入用の開口部１０が、フレーム１の縁枠部１ａのコーナー部１ｍを切り欠いて形成されていると、縁枠部１ａの上板１ｊに開口部を形成する場合に比べて、タブ片２０を縁枠部１ａの上板１ｊの下面に沿ってフレームの内側方向へ挿入する作業が遥かにし易くなるため、光反射シート２を素早く仮固定できるようになり、組立作業性が一層向上する。そして、タブ片２０が開口部１０に挿入された状態では、図４に示すように、Ｕ形切込部２１の両端の短い切込部２１ｂのアール２１ｃと、開口部１０の両端の切欠凹部１０ｂのアール１０ａがゆるかに係合するので、タブ片２０の付け根部分に亀裂が入るのを防止することもできる。
【００３０】
上記のように位置決めされて仮固定された光反射シート２の上方に配設される冷陰極管３は、図１に示すようにＵ形に曲げ加工されており、このＵ形冷陰極管３の両端には、絶縁ゴム製のソケット３ａ，３ａが取付けられている。そして、これらのソケット３ａ，３ａには、コネクタ付きのケーブル３ｂ，３ｂが接続されている。
【００３１】
この冷陰極管３の取付けは、両端部のソケット３ａ，３ａをフレーム１の取付穴１ｉ，１ｉに嵌合固定して、取付穴相互間の引出口からコネクタ付きケーブル３ｂ，３ｂを外部へ引き出す一方、図１，図７に示すように、冷陰極管３の反対側の曲げ加工した部分をランプホルダー３ｃの保持部３ｄで保持させ、このランプホルダー３ｃをフレーム１の底板１ｇに固定することによって行われている。
【００３２】
冷陰極管３のソケット３ａやランプホルダー３ｃを覆う左右のランプフレーム４，４は、白色顔料入りの合成樹脂で射出成形された光反射性の成形品であり、図６の（Ａ）に示すように、天板部４ａから斜め下方へ傾斜する前板部４ｂの下部には、冷陰極管３を挿通する４つの凹欠部４ｃが形成されている。そして、この前板部４ｂの下端には、前方へ突き出す一対の係止脚片４ｄ，４ｄが形成されている。この係止脚片４ｄ，４ｄは、前記フレーム１の係合孔１ｈと前記光反射シート２の凹部２ｅに対応合致する位置に形成されており、一方のランプフレーム４における係止脚片４ｄ，４ｄの相互間隔は、他方のランプフレーム４における係止脚片４ｄ，４ｄの相互間隔よりも大きくなっている。
【００３３】
また、図６の（Ｂ）、図８に示すように、ランプフレーム４の垂直な後板部４ｅの上部には、シート押さえ枠７の係合孔７ａ，７ａに下向きに係止するシート押さえ枠固定用の左右の係止爪片４ｆ，４ｆと、ベゼル９ｂの中央の係合孔９ｃに下向きに係止するベゼル固定用の中央の係止爪片４ｇが形成されており、ベゼル固定用の係止爪片４ｇはシート押さえ枠固定用の係止爪片４ｆよりも大きく突き出している。そして、後板部４ｅの下部には、フレーム１の短辺沿いの側板１ｅに形成された４つの係合孔１ｆに上向きに係止するランプフレーム固定用の４つの係止爪片４ｈが形成されている。
【００３４】
上記のランプフレーム４は、図７に示すように、係止脚片４ｄを光反射シート２の凹部２ｅを通してフレーム１の底板１ｇの係合孔１ｈに挿入し、係止脚片４ｄを下方から係合孔１ｈの孔縁部に係止させると共に、後板部４ｅの４つの係止爪片４ｈをその弾性を利用してフレーム１の側板１ｅの４つの係合孔１ｆに嵌め込み、係止爪片４ｈを係合孔１ｆの内面に上向きに係止させることによって、フレーム１の左右の側板１ｅの内側に取付固定されている。このようにランプフレーム４を取付けると、その前板部４ｂの下端によって光反射シート２の左右短辺沿いの端縁部２ｃ，２ｄが押さえられると共に、光反射シート２の凹部２ｅに挿入されたランプフレーム４の係止脚片４ｄによって光反射シート２の端縁部２ｃ，２ｄの移動が規制されるため、光反射シート２は精度良く位置決めされた状態で固定される。
【００３５】
図２に示すように、フレーム１の縁枠部１ａ，１ｂに重ねられた光反射シート２の端縁部２ａ，２ｂとランプフレーム４の天板部４ａの上には、光拡散シート５とその上に重ねたプリズムシート６の四周縁が載置され、その上から方形枠状に組み合わされた合成樹脂製のＬ形の２つのシート押さえ枠７，７で押さえられている。この押さえ枠７の短枠部には、図１，図８に示すように、ランプフレーム４の係止爪片４ｆ，４ｆと係合する係合孔７ａ，７ａが形成されており、この係合孔７ａ，７ａにランプフレーム４の係止爪片４ｆ，４ｆを下向きに係止させることによって、シート押さえ枠７，７が取付けられている。尚、このシート押さえ枠７は、そのコーナー部分に形成された位置決めピン（不図示）をフレーム１のコーナー部分の位置決め孔に挿入することによって位置決めされている。
【００３６】
そして、シート押さえ枠７，７の上には液晶パネル８の周縁部が載置され、その上から長短４本の金属製のベゼル９ａ，９ｂで固定されて、液晶モジュールが組み立てられている。これらのベゼル９ａ，９ｂは方形枠状に組み合わされて、そのコーナー部でフレーム１にネジで固定されており、短いベゼル９ｂは、その中央の係合孔９ｃにランプフレーム４の係止爪片４ｇを下向きに係止させることによって、ベゼル９ｂの中央部の浮きを防止し、隙間が生じないように取付けられている。尚、長いベゼル９ａは、その中央部をネジでフレーム１に固定することによって、隙間が生じないように取付けられている。
【００３７】
以上の説明から理解できるように、本発明の液晶モジュールは、組立作業時にタブ片２０をタブ片挿入用の開口部１０からフレーム１の縁枠部１ａの下側に挿入するだけで、光反射シート２を正確に位置決めして外れないように素早くフレーム１に仮固定することができ、光反射シート２を本固定するまで、位置ずれすることなく仮固定状態を維持することができるので、従来のように両面テープなどで光反射シートを貼着する面倒な作業が不要となり、組立作業性の向上とコストダウンを達成することができる。
【００３８】
尚、既述した実施形態の液晶モジュールは、光反射シート２の相対向する一方の端縁部２ａにタブ片２０を形成し、これに対応してフレーム１の一方の縁枠部１ａにタブ片挿入用の開口部１０を形成しているが、光反射シート２の相対向する双方の端縁部２ａ，２ｂにタブ片２０，２０を形成し、これに対応してフレーム１の双方の縁枠部１ａ，１ｂに開口部１０，１０を形成して、タブ片２０，２０を開口部１０，１０から縁枠部１ａ，１ｂの下側に挿入、係合させるようにしても勿論よく、その場合は本発明の作用効果が更に顕著になる。
【図面の簡単な説明】
【００３９】
【図１】本発明の一実施形態に係る液晶モジュールの分解斜視図である。
【図２】同液晶モジュールの横断面図である。
【図３】同液晶モジュールの光反射シートとフレームの部分斜視図である。
【図４】同液晶モジュールの光反射シートのタブ片をフレームのタブ片挿入用の開口部に挿入した部分の平面図である。
【図５】同液晶モジュールの光反射シートのタブ片をフレームのタブ片挿入用の開口部に挿入した部分の断面図である。
【図６】（Ａ）は同液晶モジュールのランプフレームを斜め前方から見た斜視図、（Ｂ）は同ランプフレームを斜め後方から見た斜視図である。
【図７】同液晶モジュールのランプフレームをフレームに取付けた部分の断面図である。
【図８】同液晶モジュールのフレームとランプフレームとシート押さえ枠とベゼルの組立てについての概略説明図である。
【符号の説明】
【００４０】
１    フレーム
１ａ，１ｂ  フレームの相対向する縁枠部
１ｊ  縁枠部の上板
１ｋ  縁枠部の外側板
１ｍ  コーナー部
２    光反射シート
２ａ，２ｂ  光反射シートの相対向する端縁部
２ｃ，２ｄ  上記光反射シートのもう一組の相対向する端縁部
２ｅ  凹部
３    冷陰極管
４    ランプフレーム
５    光拡散シート
６    プリズムシート
７    シート押さえ枠
８    液晶パネル
９ａ，９ｂ  ベゼル
１０  タブ片挿入用の開口部
１０ａ  アール
１０ｂ  切欠凹部
２０  タブ片
２１  偏平なＵ形切込部
２１ａ  Ｕ形切込部の長い切込部
２１ｂ  Ｕ形切込部の短い切込部
２１ｃ  短い切込部の先端のアール
Ｗ１  開口部の幅寸法
Ｗ２  タブ片の幅寸法
【図１】
0004329850.tif 000002
【図２】
0004329850.tif 000003
【図３】
0004329850.tif 000004
【図４】
0004329850.tif 000005
【図５】
0004329850.tif 000006
【図６】
0004329850.tif 000007
【図７】
0004329850.tif 000008
【図８】
0004329850.tif 000009